(57)【特許請求の範囲】
【請求項１】
バッグ本体に取り付けられる提げ手の構造であって、
提げ手は、外側の提げ手部材と、前記外側の提げ手部材の内側にその一部が提げ領域において重ね合わせられた内側の提げ手部材とを有し、
前記内側の提げ手部材は、その一方端とその他方端とをバッグ本体の外表面に取り付けられ、
前記外側の提げ手部材は、前記内側の提げ手部材と重ね合わせられた領域からバッグ本体の底方向に延びた、延長領域において、前記内側の提げ手部材のバッグ本体への取り付け部との間に適宜な間隔を空けて、その一方端とその他方端とをバッグ本体の外側において取り付けられた、バッグの提げ手の構造。
【請求項２】
外側の提げ手部材と内側の提げ手部材とは、内側の提げ手部材の一方端と外側の提げ手部材の一方端との間に略々均等な間隔をあけて且つ内側の提げ手部材の他方端と外側の提げ手部材の他方端との間に略々均等な間隔をあけて、接合させた、提げ領域において縫合され、該縫合された領域から延びた外側の提げ手部材の延長領域において内側の提げ手部材と縫合されない非接合領域を形成された、請求項１に記載のバッグの提げ手の構造。
【請求項３】
外側の提げ手部材の延長領域は、その内側とバッグ本体の外表面との間において物品を挟持するための挟持部を形成された、請求項１又は請求項２に記載のバッグの提げ手の構造。
【請求項４】
内側の提げ手部材は、長尺帯状体であり、外側の提げ手部材は、前記内側の提げ手部材より幅が広い長尺帯状体であり、
内側の提げ手部材は、提げ領域において外側の提げ手部材により、その外表面を覆われて接合された、請求項１ないし請求項３のいずれかに記載のバッグの提げ手の構造。
【請求項５】
バッグ本体は、外側に底部材が取り付けられ、
外側の提げ手部材の延長領域は、底部材のバッグ本体への底部材接合領域の縁部から底部材とバッグ本体との間に挿入され、バッグ本体の外表面及び／又は底部材の内表面に取り付けられた、請求項１ないし請求項４のいずれかに記載のバッグの提げ手の構造。
【請求項６】
バッグ本体は、外側にポケットが付設され、
外側の提げ手部材の延長領域は、ポケットの物品挿入口からポケット内に挿入され、バッグ本体の外表面に取り付けられた、請求項１ないし請求項４のいずれかに記載のバッグの提げ手の構造。
【請求項７】
内側の提げ手部材の一方端と外側の提げ手部材の一方端との間に略々均等な間隔をあけて且つ内側の提げ手部材の他方端と外側の提げ手部材の他方端との間に略々均等な間隔をあけて、接合させ、接着剤により内側の提げ手部材と外側の提げ手部材との接合領域を接着する、提げ手部材接着ステップと、
外側の提げ手部材と内側の提げ手部材とを接合した領域において、外側の提げ手部材の長手端縁の近傍及び内側の提げ手部材の長手端縁の近傍とを縫合する、縫合ステップと、
前記内側の提げ手部材の一方端と前記内側の提げ手部材の他方端とをバッグ本体の外表面に取り付ける、内側の提げ手部材取り付けステップと、
前記外側の提げ手部材を、前記内側の提げ手部材と接合された領域からバッグ本体の底方向に延びた延長領域において、前記内側の提げ手部材のバッグ本体への取り付け部との間に適宜な間隔を空けて、その一方端とその他方端とをバッグ本体の外側において取り付ける、外側の提げ手部材取り付けステップとを含む、
バッグの提げ手の取り付け方法。
【請求項８】
外側の提げ手部材と内側の提げ手部材とを接合した領域において、幅方向における中央の近傍を湾曲させる、湾曲ステップとを含む、請求項７に記載のバッグの提げ手の取り付け方法。
【発明の詳細な説明】
【技術分野】
【０００１】
本発明は、手提げ鞄や肩掛けバッグ等のバッグの提げ手の構造及びその取り付け方法に関する。
【背景技術】
【０００２】
手提げ鞄や肩掛けバッグ等の提げ手は、例えば、特許第４４３０７３４号（特許文献１）に開示された持ち手取付構造を提案されている。【０００３】
特許文献１の持ち手取付構造は、持ち手を、外側持ち手部と内側持ち手部とを接合して形成してあり、外側持ち手部の先端部を身頃の表面に取り付け、内側持ち手部の先端部を、身頃と上マチ部との間に挟み込みながら取り付けてあることを特徴とするものであり、耐久性に優れ、カバンを長年に渡り使用できるものと説明されている。
【先行技術文献】
【特許文献】
【０００４】
【特許文献１】特許第４４３０７３４号公報
【発明の概要】
【発明が解決しようとする課題】
【０００５】
しかし、特許文献１の持ち手取付構造は、持ち手が身頃の上部に取り付けられているので、バッグを持ち上げる度に、身頃と上マチ部とが引き寄せられることになり、身頃が伸びてしまうおそれがあった。また、長年の使用により持ち手の取り付け部付近が擦れ合い、縫合糸が切れてしまうおそれもあった。【０００６】
それゆえに、本発明の目的は、耐久性に優れ、カバンを長年に渡り使用できる提げ手の構造及びその取り付け方法を提供することである。
【課題を解決するための手段】
【０００７】
この発明の請求項１にかかるバッグの提げ手の構造は、バッグ本体に取り付けられる提げ手の構造であって、提げ手は、外側の提げ手部材と、前記外側の提げ手部材の内側にその一部が提げ領域において重ね合わせられた内側の提げ手部材とを有し、前記内側の提げ手部材は、その一方端とその他方端とをバッグ本体の外表面に取り付けられ、前記外側の提げ手部材は、前記内側の提げ手部材と重ね合わせられた領域からバッグ本体の底方向に延びた、延長領域において、前記内側の提げ手部材のバッグ本体への取り付け部との間に適宜な間隔を空けて、その一方端とその他方端とをバッグ本体の外側において取り付けられた、バッグの提げ手の構造である。
この発明の請求項２にかかるバッグの提げ手の構造は、外側の提げ手部材と内側の提げ手部材とは、内側の提げ手部材の一方端と外側の提げ手部材の一方端との間に略々均等な間隔をあけて且つ内側の提げ手部材の他方端と外側の提げ手部材の他方端との間に略々均等な間隔をあけて、接合させた、提げ領域において縫合され、該縫合された領域から延びた外側の提げ手部材の延長領域において内側の提げ手部材と縫合されない非接合領域を形成された、請求項１に記載のバッグの提げ手の構造である。
この発明の請求項３にかかるバッグの提げ手の構造においては、外側の提げ手部材の延長領域は、その内側とバッグ本体の外表面との間において物品を挟持するための挟持部を形成された、請求項１又は請求項２に記載のバッグの提げ手の構造である。
この発明の請求項４にかかるバッグの提げ手の構造においては、内側の提げ手部材は、長尺帯状体であり、外側の提げ手部材は、前記内側の提げ手部材より幅が広い長尺帯状体
であり、内側の提げ手部材は、提げ領域において外側の提げ手部材により、その外表面を覆われて接合された、請求項１ないし請求項３のいずれかに記載のバッグの提げ手の構造である。
この発明の請求項５にかかるバッグの提げ手の構造は、バッグ本体は、外側に底部材が取り付けられ、外側の提げ手部材の延長領域は、底部材のバッグ本体への接合領域の縁部から底部材とバッグ本体との間に挿入され、バッグ本体の外表面及び／又は底部材の内表面に取り付けられた、請求項１ないし請求項４のいずれかに記載のバッグの提げ手の構造である。
この発明の請求項６にかかるバッグの提げ手の構造においては、バッグ本体は、外側にポケットが付設され、外側の提げ手部材の延長領域は、ポケットの物品挿入口からポケット内に挿入され、バッグ本体の外表面に取り付けられた、請求項１ないし請求項４のいずれかに記載のバッグの提げ手の構造である。
この発明の請求項７にかかるバッグの提げ手の取り付け方法は、内側の提げ手部材の一方端と外側の提げ手部材の一方端との間に略々均等な間隔をあけて且つ内側の提げ手部材の他方端と外側の提げ手部材の他方端との間に略々均等な間隔をあけて、接合させ、接着剤により内側の提げ手部材と外側の提げ手部材との接合領域を接着する、提げ手部材接着ステップと、外側の提げ手部材と内側の提げ手部材とを接合した領域において、外側の提げ手部材の長手端縁の近傍及び内側の提げ手部材の長手端縁の近傍とを縫合する、縫合ステップと、前記内側の提げ手部材の一方端と前記内側の提げ手部材の他方端とをバッグ本体の外表面に取り付ける、内側の提げ手部材取り付けステップと、前記外側の提げ手部材を、前記内側の提げ手部材と接合された領域からバッグ本体の底方向に延びた延長領域において、前記内側の提げ手部材のバッグ本体への取り付け部との間に適宜な間隔を空けて、その一方端とその他方端とをバッグ本体の外側において取り付ける、外側の提げ手部材取り付けステップとを含む、バッグの提げ手の取り付け方法である。
この発明の請求項８にかかるバッグの提げ手の取り付け方法は、外側の提げ手部材と内側の提げ手部材とを接合した領域において、幅方向における中央の近傍を湾曲させる、湾曲ステップとを含む、請求項７に記載のバッグの提げ手の取り付け方法である。
【発明の効果】
【０００８】
本発明のバッグの提げ手の構造によれば、バッグを持ち上げた際、提げ手の取り付け部分にかかる負荷を分散できるため、バッグ本体が型崩れしにくくなり、耐久性に優れ、バッグを長年に渡り使用することができるバッグを提供することができる。
請求項２の発明によれば、外側の提げ手部材と内側の提げ手部材とは、内側の提げ手部材の一方端と外側の提げ手部材の一方端との間に略々均等な間隔をあけて且つ内側の提げ手部材の他方端と外側の提げ手部材の他方端との間に略々均等な間隔をあけて、接合させた、提げ領域において縫合され、該縫合された領域から延びた外側の提げ手部材の延長領域において内側の提げ手部材と縫合されない非接合領域を形成されているので、非接合領域により、物品を挟持することができる。
請求項３の発明によれば、外側の提げ手部材の延長領域は、その内側とバッグ本体の外表面との間において物品を挟持するための挟持部を形成されているので、挟持部により、物品を挟持することができる。
請求項４の発明によれば、内側の提げ手部材は、長尺帯状体であり、外側の提げ手部材は、前記内側の提げ手部材より幅が広い長尺帯状体であり、内側の提げ手部材は、提げ領域において外側の提げ手部材により、その外表面を覆われて接合されているので、強靭な提げ手を形成することができる。
請求項５の発明によれば、バッグ本体は、外側に底部材が取り付けられ、外側の提げ手部材の延長領域は、底部材のバッグ本体への接合領域の縁部から底部材とバッグ本体との間に挿入され、バッグ本体の外表面及び／又は底部材の内表面に取り付けられているので、提げ手のバッグ本体への取り付けを強固にできる。
請求項６の発明によれば、バッグ本体は、外側にポケットが付設され、外側の提げ手部
材の延長領域は、ポケットの物品挿入口からポケット内に挿入され、バッグ本体の外表面に取り付けられているので、提げ手のバッグ本体への取り付けをポケットにより保護することができる。
本発明のバッグの提げ手の取り付け方法によれば、バッグを持ち上げた際、提げ手の取り付け部分にかかる負荷を分散できるため、バッグ本体が型崩れしにくくなり、耐久性に優れ、バッグを長年に渡り使用することができるバッグを提供することができる。【０００９】
この発明の上述の目的、その他の目的、特徴及び利点は、図面を参照して行う以下の発明を実施するための形態の説明から一層明らかとなろう。
【図面の簡単な説明】
【００１０】
【図１】本発明の一実施形態のバッグの提げ手の構造を用いた鞄の斜視図解図である。
【図２】図１の鞄の背面側の斜視図解図である。
【図３】図１の鞄の提げ手の構造を示す背面図解図である。
【図４】図１の鞄の提げ手の構造を示す斜視図解図である。
【図５】図１の鞄の提げ手の構造を示す斜視図解図である。
【図６】図１の鞄の提げ手の構造を示す斜視図解図である。
【図７】図１の鞄の提げ手の構造を示す断面図解図である。
【図８】図１の鞄の提げ手の製造過程を示す斜視図解図である。
【図９】図１の鞄の提げ手の製造過程を示す斜視図解図である。
【図１０】図１の鞄の提げ手の製造過程を示す斜視図解図である。
【図１１】図１の鞄の提げ手の製造過程を示す斜視図解図である。
【図１２】図１の鞄の提げ手の製造過程を示す斜視図解図である。
【図１３】図１の鞄の提げ手の製造過程を示す斜視図解図である。
【図１４】本発明の別の実施形態のバッグの提げ手の構造を用いたバッグの正面図解図である。
【図１５】本発明の別の実施形態のバッグの提げ手の構造を用いたバッグの背面図解図である。
【図１６】図７の鞄の提げ手付近を拡大した部分拡大断面図解図である。
【図１７】本発明にかかるバッグの説明図である。
【図１８】本発明にかかるバッグの説明図である。
【発明を実施するための形態】
【００１１】
以下、本発明のバッグの提げ手の構造を、一実施の形態に基づいて説明する。
図１は、本発明の一実施形態のバッグの提げ手の構造を用いた鞄の斜視図解図であり、図２は、図１の鞄の背面側の斜視図解図であり、図３は、図１の鞄の提げ手の構造を示す背面図解図であり、図４は、図１の鞄の提げ手の構造を示す斜視図解図であり、図５は、図１の鞄の提げ手の構造を示す斜視図解図であり、図６は、図１の鞄の提げ手の構造を示す斜視図解図であり、図７は、図１の鞄の提げ手の構造を示す断面図解図である。
【００１２】
本発明のバッグの提げ手の構造は、図１に示すように、ボストンバッグなどの手提げ鞄１０のバッグ本体１２への提げ手１４の取り付けに用いることができる。本発明のバッグの提げ手の構造は、手提げ鞄以外にも、肩掛けバッグ等にも用いることができる。
【００１３】
バッグ本体１２は、前胴部２０と、前記前胴部２０と対向する後胴部２２と、前記前胴部２０と後胴部２２との間に介在する襠部２４と、前記前胴部２０，後胴部２２及び襠部２４の下端に設けられた底部２６とを備える。
【００１４】
前胴部２０と後胴部２２との間の開口部２８は、前胴部２０の開口縁と後胴部２２の開
口縁とに付設されたファスナ３０で開閉できるように構成されている。
【００１５】
襠部２４は、前胴部２０の左側に形成された左側の襠部２４Ａと、前胴部２０の右側に形成された右側の襠部２４Ｂとを備える。
【００１６】
底部２６は、前胴部２０，後胴部２２及び襠部２４の下端縁において、前胴部２０，後胴部２２及び襠部２４の外表面と重ね合わされた底部材３２を縫合してなる。
底部材３２は、全体が皿状であって、周縁を一定幅の底部材接合領域３４で、前胴部２０，後胴部２２及び襠部２４と縫合されている。
【００１７】
本発明のバッグ本体１２に取り付けられる提げ手の構造は、バッグ本体１２の外側において、人が手で提げる提げ領域Ａ１が、前胴部２０及び／又は後胴部２２より上方に向けてのびるように取り付けられた提げ手１４に適用される。
提げ手１４は、外側の提げ手部材５０と、前記外側の提げ手部材５０の内側にその一部が提げ領域Ａ１において重ね合わせられた内側の提げ手部材７０とを備える。
外側の提げ手部材５０と内側の提げ手部材７０とは、提げ領域Ａ１において正面視略Ｕ字状にわん曲されている。
【００１８】
内側の提げ手部材７０は、長尺帯状体であり、外側の提げ手部材５０は、前記内側の提げ手部材７０より幅が広い長尺帯状体である。
外側の提げ手部材５０及び内側の提げ手部材７０は、革又は布帛からなる。
外側の提げ手部材５０と内側の提げ手部材７０とは、その長さが異なり、外側の提げ手部材５０の方が内側の提げ手部材７０より長い。
【００１９】
内側の提げ手部材７０は、提げ領域Ａ１において外側の提げ手部材５０によりその外表面を覆われて接合されている。
外側の提げ手部材５０と内側の提げ手部材７０とは、内側の提げ手部材７０の一方端と外側の提げ手部材５０の一方端との間に略々均等な間隔をあけて且つ内側の提げ手部材７０の他方端と外側の提げ手部材５０の他方端との間に略々均等な間隔をあけて重ね合わされ、提げ領域Ａ１を構成するように縫合されている。
外側の提げ手部材５０と内側の提げ手部材７０とは、内側の提げ手部材７０の一方端と外側の提げ手部材５０の一方端との間に略々均等な間隔をあけて且つ内側の提げ手部材７０の他方端と外側の提げ手部材５０の他方端との間に略々均等な間隔をあけて、重ね合わされ、接着剤により内側の提げ手部材７０と外側の提げ手部材５０との接合領域を接着されている。
外側の提げ手部材５０と内側の提げ手部材７０とは、重ね合わされた領域において、幅方向における中央の近傍を湾曲させられている。
外側の提げ手部材５０と内側の提げ手部材７０とは、重ね合わされた領域において、外側の提げ手部材５０の長手端縁の近傍及び内側の提げ手部材７０の長手端縁の近傍を縫合されて縫合部６０を形成されている。
縫合部６０は、提げ領域Ａ１より延びた領域において、内側の提げ手部材７０がバッグ本体１２の表面に取り付けられる領域（後述する取り付け部７２及び取り付け部７４）との間に間隔をあけて、内側の提げ手部材７０の一方端の近傍及び他方端の近傍まで、形成されている。
【００２０】
前記内側の提げ手部材７０は、その一方端とその他方端とをバッグ本体１２の外表面に取り付けられている。
この実施の形態においては、内側の提げ手部材７０は、その一方端を、前胴部２０の開口部２８の近傍で襠部２４を構成する左側の襠部２４Ａの近傍に縫合されて取り付け部７２を形成され、且つその他方端を、前胴部２０の開口部２８の近傍で襠部２４を構成する
右側の襠部２４Ｂの近傍に縫合されて取り付け部７４を形成されている。
内側の提げ手部材７０は、一方端の取り付け部７２及び他方端の取り付け部７４を構成する領域が、内側の提げ手部材７０を構成する長尺帯状体の平坦な状態における裏面側を、バッグ本体１２の外表面に接し合わせて縫合されている。
内側の提げ手部材７０は、提げ領域Ａ１における外側の提げ手部材５０との接合領域Ａ３と取り付け部７２及び取り付け部７４との間に、外側の提げ手部材５０と縫合されない非縫合領域Ａ２を形成されている。
内側の提げ手部材７０は、外側の提げ手部材５０と縫合されていない非接合領域Ａ４が、内側の提げ手部材７０を構成する長尺帯状体の平坦な状態の帯状体の態様である。
【００２１】
外側の提げ手部材５０は、提げ領域Ａ１において、内側の提げ手部材７０の外側に接合され、内側の提げ手部材７０とともに正面視Ｕ字状にわん曲されている。
外側の提げ手部材５０及び内側の提げ手部材７０は、外側の提げ手部材５０を構成する長尺帯状体及び内側の提げ手部材７０を構成する長尺帯状体の長手方向における中央近傍において正面視Ｕ字状にわん曲されている。
前記外側の提げ手部材５０は、前記内側の提げ手部材７０と重ね合わせられた提げ領域Ａ１からバッグ本体１２の底方向に延びた、延長領域において、前記内側の提げ手部材７０のバッグ本体１２への取り付け部たる一方端の取り付け部７２及びバッグ本体１２への取り付け部たる他方端の取り付け部７４との間に適宜な間隔を空けて、バッグ本体１２の外側において取り付けられている。
外側の提げ手部材５０は、提げ領域Ａ１を構成する内側の提げ手部材７０との接合領域Ａ３から延びた延長領域において、内側の提げ手部材７０の取り付け部７２及び取り付け部７４と接合する位置まで内側の提げ手部材７０と縫合されない非縫合領域Ａ２を形成されている。
外側の提げ手部材５０は、内側の提げ手部材７０と縫合されていない非縫合領域Ａ２の一部（縫合部６０より下方の一方端及び他方端側の部分）が、外側の提げ手部材５０を構成する長尺帯状体の平坦な状態の帯状体の態様である。
外側の提げ手部材５０と内側の提げ手部材７０とを縫合された接合領域Ａ３により構成される提げ領域Ａ１から延びた外側の提げ手部材５０の延長領域（非縫合領域Ａ２）において、外側の提げ手部材５０は、内側の提げ手部材７０の取り付け部７２及び取り付け部７４の接合領域Ａ３からの延長領域において内側の提げ手部材７０と縫合されていない非接合領域Ａ４を形成されている。
【００２２】
外側の提げ手部材５０の延長領域は、底部材３２のバッグ本体１２への接合領域の縁部から底部材３２とバッグ本体１２との間に挿入され、バッグ本体１２の外表面及び／又は底部材１２の内表面に取り付けられている。
この実施の形態においては、外側の提げ手部材５０は、その一方端を、左側の襠部２４Ａの近傍で底部材３２と前胴部２０との底部材接合領域３４との間で、前胴部２０及び底部材３２に跨って縫合されている。
具体的には、底部材３２と前胴部２０とを底部材接合領域３４で縫合するときに、前胴部２０と底部材３２との間に挟まれた外側の提げ手部材５０の一方端を縫合した取り付け部５２において、取り付けられている。
更に、その他方端を、右側の襠部２４Ｂの近傍で底部材３２と前胴部２０との底部材接合領域３４との間で、前胴部２０及び底部材３２に跨って縫合されている。
具体的には、底部材３２と前胴部２０とを底部材接合領域３４で縫合するときに、前胴部２０と底部材３２との間に挟まれた外側の提げ手部材５０の他方端を縫合した取り付け部５４において、取り付けられている。
外側の提げ手部材５０は、取り付け部５２及び取り付け部５４を構成する領域が、外側の提げ手部材５０を構成する長尺帯状体の平坦な状態における裏面側をバッグ本体１２の外表面に接し合わせて縫合されている。
【００２３】
外側の提げ手部材５０は、縫合された接合領域Ａ３から延びた外側の提げ手部材５０の延長領域において内側の提げ手部材７０と接合されない非接合領域Ａ４を形成されている。
外側の提げ手部材５０は、内側の提げ手部材７０と縫合されていない非接合領域Ａ４が、外側の提げ手部材５０を構成する長尺帯状体の平坦な状態の帯状体の態様である。
外側の提げ手部材５０の延長領域である非接合領域Ａ４は、その内側とバッグ本体１２の外表面との間における空所によって物品を挟持するための挟持部５６を形成されている。
【００２４】
次に、バッグの提げ手の取り付け方法について、主として図８ないし図１３に基づいて説明する。
バッグの提げ手の取り付け方法は、内側の提げ手部材７０の一方端と外側の提げ手部材５０の一方端との間に略々均等な間隔をあけて且つ内側の提げ手部材７０の他方端と外側の提げ手部材５０の他方端との間に略々均等な間隔をあけて、接合させ、接着剤により内側の提げ手部材７０と外側の提げ手部材５０との接合領域を接着する、提げ手部材接着ステップと、外側の提げ手部材５０と内側の提げ手部材７０とを接合した領域において、幅方向における中央の近傍を湾曲させる、湾曲ステップと、外側の提げ手部材５０と内側の提げ手部材７０とを接合した領域において、外側の提げ手部材５０の長手端縁の近傍及び内側の提げ手部材７０の長手端縁の近傍とを縫合する、縫合ステップと、前記内側の提げ手部材７０の一方端と前記内側の提げ手部材７０の他方端とをバッグ本体１２の外表面に取り付ける、内側の提げ手部材取り付けステップと、前記外側の提げ手部材５０を、前記内側の提げ手部材７０と接合された領域からバッグ本体１２の底方向に延びた延長領域において、前記内側の提げ手部材７０のバッグ本体１２への取り付け部（一方端の取り付け部７２及び他方端の取り付け部７４）との間に適宜な間隔を空けて、その一方端の取り付け部５２とその他方端の取り付け部５４とをバッグ本体１２の外側において取り付ける、外側の提げ手部材取り付けステップとを含む。
外側の提げ手部材５０の延長領域は、底部材３２のバッグ本体１２への底部材接合領域３４の縁部から底部材３２とバッグ本体１２との間に、その一方端及び他方端を挿入され、バッグ本体１２の外表面及び／又は底部材３２の内表面にその一方端及び他方端を取り付けられる。
【００２５】
提げ手部材接着ステップにおいて、内側の提げ手部材７０の一方端と外側の提げ手部材５０の一方端との間に略々均等な間隔をあけて且つ内側の提げ手部材７０の他方端と外側の提げ手部材５０の他方端との間に略々均等な間隔をあけて、内側の提げ手部材７０の表面と外側の提げ手部材５０の裏面とを接合させる。内側の提げ手部材７０の表面と外側の提げ手部材５０の裏面に予め塗布された接着剤により、内側の提げ手部材７０と外側の提げ手部材５０との接合領域を接着する。
【００２６】
湾曲ステップにおいて、外側の提げ手部材５０と内側の提げ手部材７０とを接合した領域において、外側の提げ手部材５０と内側の提げ手部材７０とを一緒に、提げ領域Ａ１を構成する部位の幅方向における中央の近傍を略Ｃ字状に湾曲させる。
【００２７】
縫合ステップにおいて、前記湾曲ステップにより外側の提げ手部材５０と内側の提げ手部材７０とを接合した領域において、外側の提げ手部材５０の長手端縁の近傍及び内側の提げ手部材７０の長手端縁の近傍とを縫合する。
湾曲された外側の提げ手部材５０の長手端縁と内側の提げ手部材７０の長手端縁とは、揃えられて、内側の提げ手部材７０の対向する裏面どおしを接し合わされ、外側の提げ手部材５０と内側の提げ手部材７０とが縫合される。
【００２８】
内側の提げ手部材取り付けステップにおいて、前記内側の提げ手部材７０の一方端と前記内側の提げ手部材７０の他方端とをバッグ本体１２の外表面に取り付ける。
内側の提げ手部材７０の一方端と他方端とは、手で提げるに適する適宜な空間をあけて、バッグ本体１２へ取り付けられる。
【００２９】
外側の提げ手部材取り付けステップにおいて、前記外側の提げ手部材５０を、前記内側の提げ手部材７０と接合された領域からバッグ本体１２の底方向に延びた延長領域において、前記内側の提げ手部材７０のバッグ本体１２への取り付け部（一方端の取り付け部７２及び他方端の取り付け部７４）との間に適宜な間隔を空けて、その一方端の取り付け部５２とその他方端の取り付け部５４とをバッグ本体１２の外側において取り付ける。
外側の提げ手部材５０の延長領域は、底部材３２のバッグ本体１２への底部材接合領域３４の縁部から底部材３２とバッグ本体１２との間に、その一方端及び他方端を挿入され、バッグ本体１２の外表面及び／又は底部材３２の内表面にその一方端及び他方端を取り付けられる。
外側の提げ手部材５０は、提げ領域Ａ１を挟んで一方にのびる部分及び他方にのびる部分が前記内側の提げ手部材７０の取り付け部７２及び取り付け部７４より下方に垂れ下がる。
而して、本発明のバッグの提げ手１４の構造を備えたバッグを形成できる。
【００３０】
次に、この発明の別の実施の形態であるバッグの提げ手の構造について、主として、図１５ないし図１６に基づいて説明する。
【００３１】
バッグ本体１１２は、前胴部１２０と、前記前胴部１２０と対向する後胴部１２２と、前記前胴部１２０と後胴部１２２との間に介在する襠部１２４と、前記前胴部１２０，後胴部１２２及び襠部１２４の下端に設けられた底部１２６とを備える。
【００３２】
前胴部１２０と後胴部１２２との間の開口部１２８は、前胴部１２０の開口縁と後胴部１２２の開口縁とに付設されたファスナ１３０で開閉できるように構成されている。
【００３３】
襠部１２４は、前胴部１２０の左側に形成された左側の襠部１２４Ａと、前胴部１２０の右側に形成された右側の襠部１２４Ｂとを備える。
【００３４】
底部１２６は、前胴部１２０，後胴部１２２及び襠部１２４の下端縁において、前胴部１２０，後胴部１２２及び襠部１２４の外表面と重ね合わされた底部材１３２を縫合してなる。
底部材１３２は、全体が皿状であって、周縁を一定幅の底部材接合領域１３４で、前胴部１２０，後胴部１２２及び襠部１２４と縫合されている。
【００３５】
本発明のバッグ本体１１２に取り付けられる提げ手の構造は、バッグ本体１１２の外側において、人が手で提げる提げ領域Ａ１が、前胴部１２０及び／又は後胴部１２２より上方に向けてのびるように取り付けられた提げ手１１４に適用される。
この発明の一実施の形態である肩掛けバッグにもなる手提げバッグ１１０は、バッグ本体１１２が、外側にポケットを付設され、外側の提げ手部材１５０の延長領域は、ポケット１４０の物品挿入口１４２からポケット１４０内に挿入され、バッグ本体１１２の外表面に取り付けられている。
【００３６】
提げ手１１４は、外側の提げ手部材１５０と、前記外側の提げ手部材１５０の内側にその一部が提げ領域Ａ１において重ね合わせられた内側の提げ手部材１７０とを備える。
外側の提げ手部材１５０と内側の提げ手部材１７０とは、提げ領域Ａ１において正面視略Ｕ字状にわん曲されている。
【００３７】
内側の提げ手部材１７０は、長尺帯状体であり、外側の提げ手部材１５０は、前記内側の提げ手部材１７０より幅が広い長尺帯状体である。
外側の提げ手部材１５０及び内側の提げ手部材１７０は、革又は布帛からなる。
外側の提げ手部材１５０と内側の提げ手部材１７０とは、その長さが異なり、外側の提げ手部材１５０の方が内側の提げ手部材１７０より長い。
【００３８】
内側の提げ手部材１７０は、提げ領域Ａ１において外側の提げ手部材１５０によりその外表面を覆われて接合されている。
外側の提げ手部材１５０と内側の提げ手部材１７０とは、内側の提げ手部材１７０の一方端と外側の提げ手部材１５０の一方端との間に略々均等な間隔をあけて且つ内側の提げ手部材１７０の他方端と外側の提げ手部材１５０の他方端との間に略々均等な間隔をあけて重ね合わされた、提げ領域Ａ１において縫合されている。
外側の提げ手部材１５０と内側の提げ手部材１７０とは、内側の提げ手部材１７０の一方端と外側の提げ手部材１５０の一方端との間に略々均等な間隔をあけて且つ内側の提げ手部材１７０の他方端と外側の提げ手部材１５０の他方端との間に略々均等な間隔をあけて、重ね合わされ、接着剤により内側の提げ手部材１７０と外側の提げ手部材１５０との接合領域Ａ３を接着されている。
外側の提げ手部材１５０と内側の提げ手部材１７０とは、重ね合わされた領域において、幅方向における中央の近傍を湾曲させられている。
外側の提げ手部材１５０と内側の提げ手部材１７０とは、重ね合わされた領域において、外側の提げ手部材１５０の長手端縁の近傍及び内側の提げ手部材１７０の長手端縁の近傍を縫合されて縫合部１６０を形成されている。
縫合部１６０は、提げ領域Ａ１より延びた領域において、内側の提げ手部材１７０がバッグ本体１１２の表面に取り付けられる領域（後述する取り付け部１７２及び取り付け部１７４）との間に間隔をあけて、内側の提げ手部材１７０の一方端の近傍及び他方端の近傍まで、形成されている。
【００３９】
前記内側の提げ手部材１７０は、その一方端とその他方端とをバッグ本体１１２の外表面に取り付けられている。
この実施の形態においては、内側の提げ手部材１７０は、その一方端を、前胴部１２０の開口部１２８の近傍で襠部１２４を構成する左側の襠部１２４Ａの近傍に縫合されて取り付け部１７２を形成され、且つその他方端を、前胴部１２０の開口部１２８の近傍で襠部１２４を構成する右側の襠部１２４Ｂの近傍に縫合されて取り付け部１７４を形成されている。
内側の提げ手部材１７０は、取り付け部１７２及び取り付け部１７４を構成する領域が、内側の提げ手部材１７０を構成する長尺帯状体の平坦な状態における裏面側をバッグ本体１１２の外表面に接し合わせて縫合されている。
内側の提げ手部材１７０は、提げ領域Ａ１における外側の提げ手部材１５０との接合領域Ａ３と取り付け部１７２及び取り付け部１７４との間に、外側の提げ手部材１５０と縫合されない非縫合領域Ａ２を形成されている。
内側の提げ手部材１７０は、外側の提げ手部材１５０と縫合されていない非接合領域Ａ４が、内側の提げ手部材１７０を構成する長尺帯状体の平坦な状態の帯状体の態様である。
【００４０】
外側の提げ手部材１５０は、提げ領域Ａ１において、内側の提げ手部材１７０の外側に接合され、内側の提げ手部材１７０とともに正面視Ｕ字状にわん曲されている。
外側の提げ手部材１５０及び内側の提げ手部材１７０は、外側の提げ手部材１５０を構成する長尺帯状体及び内側の提げ手部材１７０を構成する長尺帯状体の長手方向における中央近傍において正面視Ｕ字状にわん曲されている。
前記外側の提げ手部材１５０は、前記内側の提げ手部材１７０と重ね合わせられた提げ領域Ａ１からバッグ本体１１２の底方向に延びた、延長領域において、前記内側の提げ手部材１７０のバッグ本体１１２への取り付け部たる一方端の取り付け部１７２及びバッグ本体１１２への取り付け部たる他方端の取り付け部１７４との間に適宜な間隔を空けて、バッグ本体１１２の外側において取り付けられている。
外側の提げ手部材１５０は、提げ領域Ａ１を構成する内側の提げ手部材１７０との接合領域Ａ３から延びた延長領域において、内側の提げ手部材１７０の取り付け部１７２及び取り付け部１７４と接合する位置まで内側の提げ手部材１７０と縫合されない非縫合領域Ａ２を形成されている。
外側の提げ手部材１５０は、内側の提げ手部材１７０と縫合されていない非縫合領域Ａ２の一部（縫合部１６０より下方の一方端及び他方端側の部分）が、外側の提げ手部材１５０を構成する長尺帯状体の平坦な状態の帯状体の態様である。
【００４１】
この実施の形態においては、外側の提げ手部材１５０は、その一方端を、左側の襠部１２４Ａの近傍でポケット１４０を構成するポケット片と前胴部１２０との接合領域の物品挿入口１４２の内側で、前胴部１２０に縫合されている。
具体的には、前胴部１２０とポケット１４０を形成するポケット片との間に挟まれた外側の提げ手部材１５０の一方端を縫合した取り付け部１５２において、取り付けられている。
更に、外側の提げ手部材１５０の延長領域は、その他方端を、右側の襠部１２４Ｂの近傍でポケット１４０を構成するポケット片と前胴部１２０との接合領域の物品挿入口１４２の内側で、前胴部１２０に縫合されている。
具体的には、前胴部１２０とポケット１４０を形成するポケット片との間に挟まれた外側の提げ手部材１５０の他方端を縫合した取り付け部１５４において、取り付けられている。
外側の提げ手部材１５０は、一方端の取り付け部１５２及び他方端の取り付け部１５４を構成する領域が、外側の提げ手部材１５０を構成する長尺帯状体の平坦な状態における裏面側を、バッグ本体１１２の外表面に接し合わせて縫合されている。
外側の提げ手部材１５０と内側の提げ手部材１７０とを縫合された接合領域Ａ３（縫合部１６０を形成された）により構成される提げ領域Ａ１から延びた外側の提げ手部材１５０の延長領域（非縫合領域Ａ２）において、外側の提げ手部材１５０は、内側の提げ手部材１７０の取り付け部１７２及び取り付け部１７４の接合領域Ａ３からの延長領域において内側の提げ手部材１７０と縫合されていない非接合領域Ａ４を形成されている。
【００４２】
外側の提げ手部材１５０は、縫合された接合領域Ａ３から延びた外側の提げ手部材１５０の延長領域において内側の提げ手部材１７０と接合されない非接合領域Ａ４を形成されている。
外側の提げ手部材１５０は、内側の提げ手部材１７０と縫合されていない非接合領域Ａ４が、外側の提げ手部材１５０を構成する長尺帯状体の平坦な状態の帯状体の態様である。
【００４３】
次に、バッグの提げ手の取り付け方法について、説明する。
バッグの提げ手の取り付け方法は、内側の提げ手部材１７０の一方端と外側の提げ手部材１５０の一方端との間に略々均等な間隔をあけて且つ内側の提げ手部材１７０の他方端と外側の提げ手部材１５０の他方端との間に略々均等な間隔をあけて、接合させ、接着剤により内側の提げ手部材１７０と外側の提げ手部材１５０との接合領域を接着する、提げ手部材接着ステップと、外側の提げ手部材１５０と内側の提げ手部材１７０とを接合した領域において、幅方向における中央の近傍を湾曲させる、湾曲ステップと、外側の提げ手部材１５０と内側の提げ手部材１７０とを接合した領域において、外側の提げ手部材１５０の長手端縁の近傍及び内側の提げ手部材１７０の長手端縁の近傍とを縫合する、縫合ス
テップと、前記内側の提げ手部材１７０の一方端と前記内側の提げ手部材１７０の他方端とをバッグ本体１１２の外表面に取り付ける、内側の提げ手部材取り付けステップと、前記外側の提げ手部材１５０を、前記内側の提げ手部材１７０と接合された領域からバッグ本体１１２の底方向に延びた延長領域において、前記内側の提げ手部材１７０のバッグ本体１１２への取り付け部（一方端の取り付け部１７２及び他方端の取り付け部１７４）との間に適宜な間隔を空けて、その一方端の取り付け部１５２とその他方端の取り付け部１５４とをバッグ本体１１２の外側において取り付ける、外側の提げ手部材取り付けステップとを含む。
外側の提げ手部材１５０の延長領域は、ポケット１４０の物品挿入口１４２からポケット１４０内に入った位置において、その一方端及び他方端をバッグ本体１１２の外表面に取り付けられ、外側の提げ手部材１５０の延長領域の取り付け部１５２及び取り付け部１７４を覆うようにバッグ本体１１２の外側にポケット１４０が付設される。
【００４４】
提げ手部材接着ステップにおいて、内側の提げ手部材１７０の一方端と外側の提げ手部材１５０の一方端との間に略々均等な間隔をあけて且つ内側の提げ手部材１７０の他方端と外側の提げ手部材１５０の他方端との間に略々均等な間隔をあけて、内側の提げ手部材１７０の表面と外側の提げ手部材１５０の裏面とを接合させる。内側の提げ手部材１７０の表面と外側の提げ手部材１５０の裏面に予め塗布された接着剤により、内側の提げ手部材１７０と外側の提げ手部材１５０との接合領域を接着する。
【００４５】
湾曲ステップにおいて、外側の提げ手部材１５０と内側の提げ手部材１７０とを接合した領域において、外側の提げ手部材１５０と内側の提げ手部材１７０とを一緒に、提げ領域Ａ１を構成する部位の幅方向における中央の近傍を略Ｃ字状に湾曲させる。
【００４６】
縫合ステップにおいて、前記湾曲ステップにより外側の提げ手部材１５０と内側の提げ手部材１７０とを接合した領域において、外側の提げ手部材１５０の長手端縁の近傍及び内側の提げ手部材１７０の長手端縁の近傍とを縫合する。
湾曲された外側の提げ手部材１５０の長手端縁と内側の提げ手部材１７０の長手端縁とは、揃えられて、内側の提げ手部材１７０の対向する裏面どおしを接し合わされ、外側の提げ手部材１５０と内側の提げ手部材１７０とが縫合される。
【００４７】
内側の提げ手部材取り付けステップにおいて、前記内側の提げ手部材１７０の一方端と前記内側の提げ手部材１７０の他方端とをバッグ本体１１２の外表面に取り付ける。
内側の提げ手部材１７０の一方端と他方端とは、手で提げるに適する適宜な空間をあけて、バッグ本体１１２へ取り付けられる。
【００４８】
外側の提げ手部材取り付けステップにおいて、前記外側の提げ手部材１５０を、前記内側の提げ手部材１７０と接合された領域からバッグ本体１１２の底方向に延びた延長領域において、前記内側の提げ手部材１７０のバッグ本体１１２への取り付け部（一方端の取り付け部１７２及び他方端の取り付け部１７４）との間に適宜な間隔を空けて、その一方端の取り付け部１５２とその他方端の取り付け部１５４とをバッグ本体１１２の外側において取り付ける。
【００４９】
ポケット１４０を形成するために、ポケット１４０を構成する皮又は布帛等のポケット構成材は、外側の提げ手部材１５０を一方端の取り付け部１５２及び他方端の取り付け部１５４においてバッグ本体１１２に取り付けた後、バッグ本体１１２に取り付けられ、ポケット１４０を形成するようにする。
而して、本発明のバッグの提げ手１１４の構造を備えたバッグを形成できる。
【００５０】
上記実施形態の構成態様は、本発明を限定するものとして挙げたものではなく、本発明
の思想に基づき変更は可能であり、本発明はそのような変更を含むものである。
【符号の説明】
【００５１】
１０  手提げ鞄
１２，１１２  バッグ本体
１４，１１４  提げ手
２０，１２０  前胴部
２２，１２２  後胴部
２４，１２４  襠部
２４Ａ，１２４Ａ  左側の襠部
２４Ｂ，１２４Ｂ  右側の襠部
２６，１２６  底部
２８，１２８  開口部
３０，１３０  ファスナ
３２，１３２  底部材
３４，１３４  底部材接合領域
５０，１５０  外側の提げ手部材
７０，１７０  内側の提げ手部材
５２，５４，７２，７４，１５２，１５４，１７２，１７４  取り付け部
５６  挟持部
６０，１６０  縫合部
１１０  手提げバッグ
１４０  ポケット
１４２  物品挿入口
Ａ１  提げ領域
Ａ２  非縫合領域
Ａ３  接合領域
Ａ４  非接合領域
【図１】
0005856688.tif 000002
【図２】
0005856688.tif 000003
【図３】
0005856688.tif 000004
【図４】
0005856688.tif 000005
【図５】
0005856688.tif 000006
【図６】
0005856688.tif 000007
【図７】
0005856688.tif 000008
【図８】
0005856688.tif 000009
【図９】
0005856688.tif 000010
【図１０】
0005856688.tif 000011
【図１１】
0005856688.tif 000012
【図１２】
0005856688.tif 000013
【図１３】
0005856688.tif 000014
【図１４】
0005856688.tif 000015
【図１５】
0005856688.tif 000016
【図１６】
0005856688.tif 000017
【図１７】
0005856688.tif 000018
【図１８】
0005856688.tif 000019